(57)【要約】      （修正有）【課題】隣り合う壁パネルの影響を受け難くしつつそれぞれの壁パネルの耐力を発揮させると共に、複数の壁パネルを容易に接合できる壁パネル構造を提供する。【解決手段】壁パネル構造には、矩形板状に形成されると共に、複数のバーリング孔２０Ａが形成された壁面材２０を有する複数の壁パネル（第１壁パネル、第２壁パネル１４及び第３壁パネル１６）が設けられている。また、ウェブ部２６Ａ、２６Ｂと、フランジ部２６Ｃ、２６Ｄと、接続フランジ部２６Ｅと、を有し、一方のフランジ部２６Ｃと他方のフランジ部２６Ｄとの間にスリット２８が形成された接続材２６が設けられている。一の壁パネルの壁面材２０の短手方向の一方側の端部が、一方のフランジ部２６Ｃに接合され、他の壁パネルの壁面材の短手方向の一方側の端部が、他方のフランジ部２６Ｄに接合されている。【選択図】図３
0003215861.tif 000002
【実用新案登録請求の範囲】
【請求項１】
矩形板状に形成されていると共に、複数のバーリング孔が形成された壁面材を有する複数の壁パネルと、
長手方向と直交する方向に沿って切断した断面視で互いに対向して配置された一対のウェブ部と、一方の前記ウェブ部の一方側の端部から他方の前記ウェブ部側へ向けて延びる一方のフランジ部と、他方の前記ウェブ部の一方側の端部から一方の前記ウェブ部側へ向けて延びる他方のフランジ部と、一方の前記ウェブ部の他方側の端部と他方の前記ウェブ部の他方側の端部とをつなぐ接続フランジ部と、を有し、一方の前記フランジ部と他方の前記フランジ部との間にスリットが形成された接続材と、
を備え、
一の前記壁パネルの前記壁面材の短手方向の一方側の端部が、一方の前記フランジ部に接合され、
他の前記壁パネルの前記壁面材の短手方向の一方側の端部が、他方の前記フランジ部に接合されている壁パネル構造。
【請求項２】
前記接続材は、一方の前記フランジ部の端部及び他方の前記フランジ部の端部からそれぞれ前記接続材の内部に向けて延びると共に互いに対向して配置された一対のリップ部を備えている請求項１記載の壁パネル構造。
【請求項３】
前記接続材は、一対の前記リップ部における一方及び他方の前記フランジ部とは反対側の端部どうしをつなぐ連結部を備えている請求項２記載の壁パネル構造。
【請求項４】
前記接続材を構成する素材のヤング率をＥ（ＧＰａ）とし、
前記接続材を構成する素材の厚みをｔ（ｍｍ）とし、
前記接続材を長手方向と直交する方向に沿って切断した断面視で、一方及び他方の前記フランジ部において前記壁面材が接合される面から前記連結部までの深さ寸法をａ（ｍｍ）とした場合において、深さ寸法ａ（ｍｍ）が以下の式（１）を満たす範囲に設定された請求項３記載の壁パネル構造。
【数１】
0003215861.tif 000008
【請求項５】
一の前記壁パネルは、複数の前記壁面材を含んで構成されていると共に隣り合う前記壁面材どうしは縦枠材を介して接合され、
他の前記壁パネルは、複数の前記壁面材を含んで構成されていると共に隣り合う前記壁面材どうしは縦枠材を介して接合され、
一の前記壁パネルを構成する一の前記壁面材の短手方向の一方側の端部が、一方の前記フランジ部に接合され、
他の前記壁パネルを構成する一の前記壁面材の短手方向の一方側の端部が、他方の前記フランジ部に接合されている請求項１〜請求項４のいずれか１項に記載の壁パネル構造。
【考案の詳細な説明】
【技術分野】
【０００１】
本考案は、壁パネル構造に関する。
【背景技術】
【０００２】
下記特許文献１の図６には、建物の水平方向に隣り合って配置された状態で接合された壁パネル（第１耐力壁及び第２耐力壁）が開示されている。第１耐力壁と第２耐力壁とは、各々の縦枠材の上方部分どうし及び下方部分どうしが接合されることで建物の水平方向に接合されている。このように、各々の縦枠材の上下方向の中間部が接合されない構成とすることで、第１耐力壁及び第２耐力壁は、外力が作用した際に、それぞれ隣り合う耐力壁の影響を受け難くしつつ挙動させることが可能となっている。このため、第１耐力壁及び第２耐力壁は、それぞれ耐力を発揮することが可能となっている。
【先行技術文献】
【特許文献】
【０００３】
【特許文献１】特開２０１７−２５１３号公報
【考案の概要】
【考案が解決しようとする課題】
【０００４】
ところで、上記特許文献１に記載された構成は、隣り合う壁パネルの影響を受け難くしつつそれぞれの壁パネルの耐力を発揮させるという観点では有用な技術ではある。しかしながら、各々の縦枠材の上方部分どうし及び下方部分どうしに複数のドリル螺子等を集中して螺合させる必要があり、一の壁パネルと他の壁パネルとを容易に接合するという点で改善の余地がある。
【０００５】
本考案は上記事実を考慮し、隣り合う壁パネルの影響を受け難くしつつそれぞれの壁パネルの耐力を発揮させることができると共に、一の壁パネルと他の壁パネルとを容易に接合することができる壁パネル構造を得ることが目的である。
【課題を解決するための手段】
【０００６】
請求項１記載の壁パネル構造は、矩形板状に形成されていると共に、複数のバーリング孔が形成された壁面材を有する複数の壁パネルと、長手方向と直交する方向に沿って切断した断面視で互いに対向して配置された一対のウェブ部と、一方の前記ウェブ部の一方側の端部から他方の前記ウェブ部側へ向けて延びる一方のフランジ部と、他方の前記ウェブ部の一方側の端部から一方の前記ウェブ部側へ向けて延びる他方のフランジ部と、一方の前記ウェブ部の他方側の端部と他方の前記ウェブ部の他方側の端部とをつなぐ接続フランジ部と、を有し、一方の前記フランジ部と他方の前記フランジ部との間にスリットが形成された接続材と、を備え、一の前記壁パネルの前記壁面材の短手方向の一方側の端部が、一方の前記フランジ部に接合され、他の前記壁パネルの前記壁面材の短手方向の一方側の端部が、他方の前記フランジ部に接合されている。
【０００７】
請求項１記載の壁パネル構造によれば、一の壁パネルの壁面材の短手方向の一方側の端部が、接続材の一方のフランジ部に接合され、他の壁パネルの壁面材の短手方向の一方側の端部が、接続材の他方のフランジ部に接合されている。これにより、一の壁パネルと他の壁パネルとが接続材を介して接合されている。また、一の壁パネル及び他の壁パネルに外力が作用すると、当該外力の大きさに応じて、接続材のスリットの間隔が変化する。これにより、それぞれ隣り合う壁パネルの影響を受け難くしつつ各々の壁パネルを挙動させることができる。このため、隣り合う壁パネルの影響を受け難くしつつそれぞれの壁パネルの耐力を発揮させることができる。また、請求項１記載の壁パネル構造によれば、それぞれ隣り合う壁パネルの影響を受け難くしつつ各々の壁パネルを挙動させるために、各々の壁パネルの壁面材と接続材との接合状態を調節することが不要となる。これにより、一の壁パネルと他の壁パネルとを容易に接合することができる。
【０００８】
請求項２記載の壁パネル構造は、請求項１記載の壁パネル構造において、前記接続材は、一方の前記フランジ部の端部及び他方の前記フランジ部の端部からそれぞれ前記接続材の内部に向けて延びると共に互いに対向して配置された一対のリップ部を備えている。
【０００９】
請求項２記載の壁パネル構造によれば、一方のフランジ部の端部及び他方のフランジ部の端部からそれぞれ接続材の内部に向けて延びる一対のリップ部が設けられている。これにより、壁面材が接合されるフランジ部の面外方向への剛性をリップ部によって向上させることができる。
【００１０】
請求項３記載の壁パネル構造は、請求項２記載の壁パネル構造において、前記接続材は、一対の前記リップ部における一方及び他方の前記フランジ部とは反対側の端部どうしをつなぐ連結部を備えている。
【００１１】
請求項３記載の壁パネル構造によれば、接続材の一対のリップ部におけるフランジ部とは反対側の端部どうしが連結部によってつながれている。これにより、連結部を備えていない構成と比べて、一方のフランジ部及び他方のフランジ部の面内変形の剛性を調節することができる。その結果、接続材のスリットの間隔の変化のし易さを調節することができる。
【００１２】
請求項４記載の壁パネル構造は、請求項３記載の壁パネル構造において、前記接続材を構成する素材のヤング率をＥ（ＧＰａ）とし、前記接続材を構成する素材の厚みをｔ（ｍｍ）とし、前記接続材を長手方向と直交する方向に沿って切断した断面視で、一方及び他方の前記フランジ部において前記壁面材が接合される面から前記連結部までの深さ寸法をａ（ｍｍ）とした場合において、深さ寸法ａ（ｍｍ）が以下の式（１）を満たす範囲に設定されている。
【数１】
0003215861.tif 000003
【００１３】
請求項４記載の壁パネル構造によれば、上記深さ寸法ａが上記の範囲に設定されていることにより、一の壁パネル及び他の壁パネルに外力が作用した際における各々の壁パネルの耐力の特性を、各々の壁パネルの単独での耐力の特性により一層近づけることができる。
【００１４】
請求項５記載の壁パネル構造は、請求項１〜請求項４のいずれか１項に記載の壁パネル構造において、一の前記壁パネルは、複数の前記壁面材を含んで構成されていると共に隣り合う前記壁面材どうしは縦枠材を介して接合され、他の前記壁パネルは、複数の前記壁面材を含んで構成されていると共に隣り合う前記壁面材どうしは縦枠材を介して接合され、一の前記壁パネルを構成する一の前記壁面材の短手方向の一方側の端部が、一方の前記フランジ部に接合され、他の前記壁パネルを構成する一の前記壁面材の短手方向の一方側の端部が、他方の前記フランジ部に接合されている。
【００１５】
請求項５記載の壁パネル構造によれば、複数の壁面材が縦枠材を介して接合されていることにより、単一の壁面材が用いられている場合に比べて、壁パネルの耐力を向上させることができる。
【考案の効果】
【００１６】
本考案に係る壁パネルは、隣り合う壁パネルの影響を受け難くしつつそれぞれの壁パネルの耐力を発揮させることができると共に、一の壁パネルと他の壁パネルとを容易に接合することができる、という優れた効果を有する。
【図面の簡単な説明】
【００１７】
【図１】本実施形態の壁パネルを示す正面図である。
【図２】図１に示された壁パネルにおいて一点鎖線２で囲まれた部分を示す斜視図である。
【図３】図２に示された３−３線に沿って切断した壁パネルの断面を示す断面図である。
【図４】他の形態の接続材を示す断面図である。
【図５】壁パネルの層間変化角に対する水平荷重の変化の特性を示すグラフである。
【図６】他の形態の接続材を示す図４に対応する断面図である。
【考案を実施するための形態】
【００１８】
図１〜図３を用いて本考案の実施形態に係る壁パネル構造について説明する。なお、図中に示された矢印Ｖ、及び矢印Ｈは、本実施形態の壁パネル構造が適用された壁パネルが用いられた建物の上方向、及び水平方向の一方向をそれぞれ示すものとする。
【００１９】
図１に示されるように、本実施形態の壁パネル１０は、水平方向に並べられた状態で接合された壁パネルとしての第１壁パネル１２、第２壁パネル１４及び第３壁パネル１６を含んで構成されている。なお、第１壁パネル１２、第２壁パネル１４及び第３壁パネル１６は、それぞれ単独でも壁パネルとして機能するが、本実施形態では、建物の寸法に合わせて３つの壁パネル（第１壁パネル１２、第２壁パネル１４及び第３壁パネル１６）を用いて壁パネル１０を構成している。以下、先ず水平方向の中央部に配置された第２壁パネル１４の構成について説明し、次いで第２壁パネル１４の水平方向両側にそれぞれ配置された第１壁パネル１２及び第３壁パネル１６の構成について説明する。
【００２０】
（第２壁パネル１４の構成）
第２壁パネル１４は、当該第２壁パネル１４の枠を形成する枠材１８に２枚の壁面材２０が接合されることによって構成されている。枠材１８は、建物の上下方向に延びる縦枠材２２と、建物の上下方向に間隔をあけて配置され建物の水平方向に略平行に延びる一対の横枠材２４と、を含んで構成されている。
【００２１】
図２及び図３に示されるように、縦枠材２２は、断面Ｃ字状に形成されたリップ付溝形鋼によって形成されており、ウェブ部２２Ａ、一対のフランジ部２２Ｂ及び一対のリップ部２２Ｃを備えている。なお、図示は省略するが、横枠材２４は縦枠材２２と同様に形鋼を用いて形成されている。そして、図１に示されるように、縦枠材２２の上端部は一方の横枠材２４の長手方向の中央部に接合され、縦枠材２２の下端部は他方の横枠材２４の長手方向の中央部に接合されている。
【００２２】
図２及び図３に示されるように、壁面材２０は、正面視で上下方向を長手方向とする矩形状の鋼鈑を用いて形成されている。この壁面材２０には、上下方向に所定の間隔をあけて１列に配列された複数の円形のバーリング孔２０Ａが形成されている。これらの複数のバーリング孔２０Ａは、略同じ直径に形成されていると共に、隣り合うバーリング孔２０Ａ間の距離が略同じ寸法となっている。また、バーリング孔２０Ａの縁部には、枠材１８が配置された側へ向けて突出する環状のバーリングリブ２０Ｂが形成されている。そして、一方の壁面材２０及び他方の壁面材２０が水平方向に隣り合って配置された状態で、各々の壁面材２０の短手方向一方側の端部及び上下方向の両端部が、縦枠材２２の一方のフランジ部２２Ｂ及び一対の横枠材２４に複数のドリル螺子４０を介して接合されている。なお、複数のドリル螺子４０は、上下方向又は水平方向に略等間隔に配置されている。
【００２３】
（第１壁パネル１２の構成）
図１に示されるように、第１壁パネル１２の基本的な構成は、前述の第２壁パネル１４の構成と同様の構成である。すなわち、第１壁パネル１２は、当該第１壁パネル１２の枠を形成する枠材１８に２枚の壁面材２０が接合されることによって構成されている。枠材１８は、建物の水平方向に間隔をあけて配置され建物の上下方向に略平行に延びる一対の縦枠材２２と、建物の上下方向に間隔をあけて配置され建物の水平方向に略平行に延びる一対の横枠材２４と、を含んで構成されている。一対の縦枠材２２及び一対の横枠材２４は、リップ付溝形鋼等の形鋼を用いて形成されている。そして、一方の縦枠材２２の上端部は一方の横枠材２４の長手方向の中央部に接合され、一方の縦枠材２２の下端部は他方の横枠材２４の長手方向の中央部に接合されている。また、他方の縦枠材２２の上端部は一方の横枠材２４における第２壁パネル１４とは反対側の端部に接合され、他方の縦枠材２２の下端部は他方の横枠材２４における第２壁パネル１４とは反対側の端部に接合されている。そして、一対の壁面材２０が、水平方向に隣り合って配置された状態で、一対の縦枠材２２及び一対の横枠材２４を含んで構成された枠材１８に複数のドリル螺子を介して接合されている。
【００２４】
（第３壁パネル１６の構成）
第３壁パネル１６の基本的な構成は、前述の第１壁パネル１２の構成と同様の構成である。すなわち、第３壁パネル１６は、当該第３壁パネル１６の枠を形成する枠材１８に２枚の壁面材２０が接合されることによって構成されている。枠材１８は、建物の水平方向に間隔をあけて配置され建物の上下方向に略平行に延びる一対の縦枠材２２と、建物の上下方向に間隔をあけて配置され建物の水平方向に略平行に延びる一対の横枠材２４と、を含んで構成されている。一対の縦枠材２２及び一対の横枠材２４は、リップ付溝形鋼等の形鋼を用いて形成されている。そして、一方の縦枠材２２の上端部は一方の横枠材２４の長手方向の中央部に接合され、一方の縦枠材２２の下端部は他方の横枠材２４の長手方向の中央部に接合されている。また、他方の縦枠材２２の上端部は一方の横枠材２４における第２壁パネル１４とは反対側の端部に接合され、他方の縦枠材２２の下端部は他方の横枠材２４における第２壁パネル１４とは反対側の端部に接合されている。そして、一対の壁面材２０が、水平方向に隣り合って配置された状態で、一対の縦枠材２２及び一対の横枠材２４を含んで構成された枠材１８に複数のドリル螺子を介して接合されている。
【００２５】
（各壁パネルの接合部の構成）
そして、図１〜図３に示されるように、本実施形態では、第１壁パネル１２と第２壁パネル１４とが、接続材２６を介して接合されており、第２壁パネル１４と第３壁パネル１６とが、接続材２６を介して接合されている。
【００２６】
図２及び図３に示されるように、接続材２６は、形鋼を用いて形成されている。この接続材２６は、長手方向と直交する方向に沿って切断した断面視で互いに対向して配置された一対のウェブ部２６Ａ、２６Ｂを備えている。この一対のウェブ部２６Ａ、２６Ｂは互いに平行に延びている。
【００２７】
また、接続材２６は、一方のウェブ部２６Ａの一方側の端部から他方のウェブ部２６Ｂ側へ向けて延びるフランジ部２６Ｃと、他方のウェブ部２６Ｂの一方側の端部から一方のウェブ部２６Ａ側へ向けて延びるフランジ部２６Ｄと、を備えている。この一方のフランジ部２６Ｃと他方のフランジ部２６Ｄとは、互いに略同一平面上に延びている。また、一方のフランジ部２６Ｃにおけるウェブ部２６Ａとは反対側の端部と他方のフランジ部２６Ｄにおけるウェブ部２６Ｂとは反対側の端部とは、離間している。これにより、一方のフランジ部２６Ｃと他方のフランジ部との間には、接続材２６の長手方向に沿ってスリット２８が形成されている。換言すると、接続材２６におけるスリット２８の周縁部が、フランジ部２６Ｃ、２６Ｄとされている。
【００２８】
さらに、接続材２６は、一方のウェブ部２６Ａの他方側の端部と他方のウェブ部２６Ｂの他方側の端部とをつなぐ接続フランジ部２６Ｅを備えている。この接続フランジ部２６Ｅは、一方のフランジ部２６Ｃ及び他方のフランジ部２６Ｄと対向していると共に互いに平行に延びている。
【００２９】
また、接続材２６は、一方のフランジ部２６Ｃにおけるウェブ部２６Ａとは反対側の端部、及び他方のフランジ部２６Ｄにおけるウェブ部２６Ｂとは反対側の端部からそれぞれ接続材２６の内部に向けて（接続フランジ部２６Ｅ側へ向けて）延びると共に互いに対向して配置された一対のリップ部２６Ｆ、２６Ｇを備えている。
【００３０】
そして、図３に示されるように、第１壁パネル１２において第２壁パネル１４側に配置された壁面材２０の第２壁パネル１４側の端部が、接続材２６の他方のフランジ部２６Ｄに複数のドリル螺子４０を介して接合されている。なお、複数のドリル螺子４０は、接続材２６の長手方向に沿って略等間隔に配置されている。また、第２壁パネル１４において第１壁パネル１２側に配置された壁面材２０の第１壁パネル１２側の端部が、接続材２６の一方のフランジ部２６Ｃに複数のドリル螺子４０を介して接合されている。なお、複数のドリル螺子４０は、接続材２６の長手方向に沿って略等間隔に配置されている。これにより、第１壁パネル１２と第２壁パネル１４とが、接続材２６を介して接合されている。また、第１壁パネル１２と第２壁パネル１４とは、互いの短手方向（水平方向）に離間している。
【００３１】
また、第２壁パネル１４において第３壁パネル１６側に配置された壁面材２０の第３壁パネル１６側の端部が、接続材２６の他方のフランジ部２６Ｄに複数のドリル螺子４０を介して接合されている。なお、複数のドリル螺子４０は、接続材２６の長手方向に沿って略等間隔に配置されている。また、第３壁パネル１６において第２壁パネル１４側に配置された壁面材２０の第２壁パネル１４側の端部が、接続材２６の一方のフランジ部２６Ｃに複数のドリル螺子４０を介して接合されている。なお、複数のドリル螺子４０は、接続材２６の長手方向に沿って略等間隔に配置されている。これにより、第２壁パネル１４と第３壁パネル１６とが、接続材２６を介して接合されている。また、第２壁パネル１４と第３壁パネル１６とは、互いの短手方向（水平方向）に離間している。
【００３２】
なお、図１及び図２に示されるように、本実施形態では、水平方向に隣り合う一対の縦枠材２２の上下方向の中央部を水平方向につなぐ、又は、水平方向に隣り合う縦枠材２２の上下方向の中央部と接続材２６の上下方向の中央部とを水平方向につなぐ複数の圧縮抵抗材３０が設けられている。
【００３３】
（本実施形態の作用並びに効果）
次に、本実施形態の作用並びに効果について説明する。
【００３４】
図１〜図３に示されるように、本実施形態の壁パネル１０を備えた建物に地震による荷重が作用して、壁パネル１０に水平方向への荷重が作用すると、すなわち、第１壁パネル１２、第２壁パネル１４及び第３壁パネル１６に水平方向への荷重が作用すると、各々の壁パネル（第１壁パネル１２、第２壁パネル１４及び第３壁パネル１６）を構成する壁面材２０の応力が高まる。特に、壁面材２０において上下方向に隣り合う一対のバーリング孔２０Ａの間の部分の応力が高まる。そして、壁面材２０において上下方向に隣り合う一対のバーリング孔２０Ａの間の部分が変形されることで、建物に入力された地震のエネルギが吸収される。
【００３５】
また、第１壁パネル１２、第２壁パネル１４及び第３壁パネル１６に水平方向への荷重が作用すると、当該荷重の大きさに応じて、接続材２６のスリット２８の間隔が変化する。これにより、それぞれ隣り合う壁パネルの影響を受け難くしつつ各々の壁パネル（第１壁パネル１２、第２壁パネル１４及び第３壁パネル１６）を挙動させることができる。このため、隣り合う壁パネルの影響を受け難くしつつそれぞれの壁パネル（第１壁パネル１２、第２壁パネル１４及び第３壁パネル１６）の耐力を発揮させることができる。
【００３６】
また、それぞれ隣り合う壁パネルの影響を受け難くしつつ各々の壁パネル（第１壁パネル１２、第２壁パネル１４及び第３壁パネル１６）を挙動させるために、各々の壁パネルの壁面材２０と接続材２６との接合状態を調節することが不要となる。一例として、壁面材２０を接続材２６に接合するための複数のドリル螺子４０の間隔や螺合位置を調節することが不要となる。これにより、第１壁パネル１２と第２壁パネル１４とを接続材２６を介して容易に接合することができると共に、第２壁パネル１４と第３壁パネル１６とを接続材２６を介して容易に接合することができる。
【００３７】
また、本実施形態では、接続材２６が、一方のフランジ部２６Ｃにおけるウェブ部２６Ａとは反対側の端部及び他方のフランジ部２６Ｄにおけるウェブ部２６Ｂとは反対側の端部からそれぞれ接続材２６の内部に向けて延びる一対のリップ部２６Ｆ、２６Ｇを備えている。これにより、壁面材２０が接合されるフランジ部２６Ｃ、２６Ｄの面外方向への剛性をリップ部２６Ｆ、２６Ｇによって向上させることができる。
【００３８】
さらに、本実施形態では、各々の壁パネル（第１壁パネル１２、第２壁パネル１４及び第３壁パネル１６）が、それぞれ２枚の壁面材２０を用いて構成されている。これにより、単一の壁面材２０を用いて各々の壁面材を構成した場合と比べて、壁パネル１０の耐力を向上させることができる。なお、壁パネルを構成する壁面材２０の枚数は、要求される耐力を考慮して適宜設定すればよい。
【００３９】
（他の形態の接続材３２）
次に、図４〜図６を用いて、他の形態の接続材３２について説明する。なお、前述した壁パネル１０を構成する部材及び部分と対応する部材及び部分については、壁パネル１０を構成する部材及び部分と同一の符号を付してその説明を省略することがある。
【００４０】
図４に示されるように、本形態の接続材３２は、一対のリップ部２６Ｆ、２６Ｇにおける一方及び他方のフランジ部２６Ｃ、２６Ｄとは反対側の端部どうしをつなぐ連結部３２Ａを備えている。連結部３２は、接続材３２の長手方向の全体において一対のリップ部２６Ｆ、２６Ｇをつないでいる。この連結部３２Ａを設けることにより、一方のフランジ部２６Ｃ及び他方のフランジ部２６Ｄの面内変形の剛性を調節することができる。その結果、接続材３２のスリット２８の間隔の変化のし易さを調節することができる。
【００４１】
ここで、一方のフランジ部２６Ｃ及び他方のフランジ部２６Ｄに加わる面内方向かつスリット２８を開かせる方向への荷重をｑ（Ｎ／ｍｍ）とし、それぞれのフランジ部２６Ｃ、２６Ｄの面内方向への変位量をｄ（ｍｍ）とする。また、接続材３２を構成する素材のヤング率をＥ（ＧＰａ）とし、リップ部２６Ｆ、２６Ｇの断面二次モーメントをＩ（ｍｍ４）とし、接続材３２を構成する素材の厚みをｔ（ｍｍ）とする。さらに、接続材３２を長手方向と直交する方向に沿って切断した断面視で、一方及び他方のフランジ部２６Ｃ、２６Ｄにおいて壁面材２０が接合される面から連結部３２Ａまでの深さ寸法をａ（ｍｍ）とする。そして、各々のリップ部２６Ｆ、２６Ｇを片持ち梁と仮定する。すると、それぞれのフランジ部２６Ｃ、２６Ｄの変位量ｄは以下の式（２）、式（３）及び式（４）で表される。
【数２】
0003215861.tif 000004
【数３】
0003215861.tif 000005
【数４】
0003215861.tif 000006
【００４２】
そして、各々の壁パネル（第１壁パネル１２、第２壁パネル１４及び第３壁パネル１６）がそれぞれ単一の壁パネルと同様の耐力を発揮させるために必要な条件を実験により求めた。その結果、q／ｄ＝２０．２１（Ｎ／ｍｍ／ｍｍ）であれば、各々の壁パネル（第１壁パネル１２、第２壁パネル１４及び第３壁パネル１６）がそれぞれ単一の壁パネルと同様の耐力を発揮できることが分かった。
【００４３】
従って、深さ寸法ａ（ｍｍ）が以下の式（１）を満たす範囲に設定されていれば、第１壁パネル１２と第２壁パネル１４とが接続材３２を介して接合されていると共に、第２壁パネル１４と第３壁パネル１６とが接続材３２を介して接合されていたとしても、各々の壁パネル（第１壁パネル１２、第２壁パネル１４及び第３壁パネル１６）耐力の特性を単一の壁パネルの耐力の特性に近づけることができる。すなわち、隣り合う壁パネル（第１壁パネル１２、第２壁パネル１４及び第３壁パネル１６）の影響をより一層受け難くしつつ、各々の壁パネル（第１壁パネル１２、第２壁パネル１４及び第３壁パネル１６）耐力を発揮させることができる。
【数５】
0003215861.tif 000007
【００４４】
ここで、図５には、q／ｄを検討した際の各壁パネルの層間変化角に対する水平荷重の変化の特性を示すグラフが示されている。図５は、実験をシミュレーションした有限要素解析によるものであり、接続材３２のバネ（前記式（１）のａの範囲のバネ）を適用して、壁パネル１枚あたりの水平荷重と層間変化角との関係を比較したものである。この図に示されるように、上記式（１）を満たす範囲であるａ＝３０ｍｍ、Ｅ＝２０５ＧＰａ、ｔ＝２．２ｍｍに設定された壁パネルの特性Ｌ２は、単一の壁パネルの特性Ｌ１とほぼ同じ特性が得られていることがわかる。なお、水平方向に隣り合う壁パネルをその上端部及び下端部のみで接合した場合でかつ本願考案のスリット２８を備えていない壁パネルの特性Ｌ３は、単一の壁パネルの特性Ｌ１とほぼ同じ特性が得られている。また、水平方向に隣り合う壁パネルを上下方向の全範囲で接合した場合でかつ本願考案のスリット２８を備えていない壁パネルの特性Ｌ４、及び水平方向に隣り合う壁パネルを横枠材と対応する部分でのみ接合した壁パネルの特性Ｌ５は、単一の壁パネルの特性Ｌ１と比べて大きく異なる特性となっていることがわかる。
【００４５】
なお、以上説明した、接続材２６、３２では、一方のフランジ部２６Ｃにおけるウェブ部２６Ａとは反対側の端部及び他方のフランジ部２６Ｄにおけるウェブ部２６Ｂとは反対側の端部からそれぞれ接続材２６の内部に向けて延びる一対のリップ部２６Ｆ、２６Ｇを設けた例について説明したが、本考案はこれに限定されない。例えば、図６に示されるように、一対のリップ部２６Ｆ、２６Ｇを備えていない接続材３４を用いて各々の壁パネルを接合してもよい。
【００４６】
以上、本考案の一実施形態について説明したが、本考案は、上記に限定されるものでなく、その主旨を逸脱しない範囲内において上記以外にも種々変形して実施することが可能であることは勿論である。
【符号の説明】
【００４７】
１２   第１壁パネル（壁パネル）
１４   第２壁パネル（壁パネル）
１６   第３壁パネル（壁パネル）
２０   壁面材
２０Ａ バーリング孔
２６   接続材
２６Ａ ウェブ部
２６Ｂ ウェブ部
２６Ｃ フランジ部
２６Ｄ フランジ部
２６Ｅ 接続フランジ部
２６Ｆ リップ部
２８   スリット
３２   接続材
３２Ａ 連結部
【図１】
0003215861.tif 000009
【図２】
0003215861.tif 000010
【図３】
0003215861.tif 000011
【図４】
0003215861.tif 000012
【図５】
0003215861.tif 000013
【図６】
0003215861.tif 000014